(57)【特許請求の範囲】
【請求項１】
ケース本体部と、該ケース本体部を開閉する蓋部と、上記ケース本体部と上記蓋部との間に介在されていて、上記ケース本体部に対して上記蓋部を開閉可能にヒンジ部で結合している背面部とを有していて、
上記ケース本体部と上記蓋部を閉じた状態に維持する閉止部材と閉止部材係合部が開閉端側に設けられ、
上記ケース本体部と上記蓋部の周縁部に設けた側壁の先端面が重なり合うようになっている収納ケースにおいて、
上記ケース本体部と上記蓋部の側壁の先端面には、上記ケース本体部と上記蓋部の側壁を重ね合わせたときに、互に係合して、上記ケース本体部と上記蓋部の側壁の位置決めを行う傾斜面状の位置決め用の係合部と被係合部が設けられられていることを特徴とする収納ケース。
【発明の詳細な説明】
【０００１】
【産業上の利用分野】
この発明は、フロッピーディスク等の薄板状の被収納物を収納して、持ち運ぶのに便利な収納ケースに関し、特に蓋を閉じたときに蓋部とケース本体部とが確実に重なり合って両者の間に位置ズレが発生するのを防止することができるようにしたものである。
【０００２】
【従来の技術】
複数枚のフロッピーディスクを収納して持ち運ぶ場合などに使用する収納ケースとして、図４に示すようなものが開発されている。
【０００３】
この収納ケース１０１は、下蓋としてのケース本体部１０２と、該ケース本体部１０２の一側部に薄肉のヒンジ部１０３を介して連設された背面部１０４と、該背面部１０４の他側部に薄肉のヒンジ部１０５を介して連設された上蓋としての蓋部１０６とを備えている。
【０００４】
上記ケース本体部１０２には蓋部１０６を閉じた状態に維持するための閉止部材１０７が設けられていると共に、蓋部１０６には閉止部材係合部１０８が設けられている。
【０００５】
上記閉止部材１０７はケース本体部１０２の開閉端側（ヒンジ部１０３，１０５と反対側の自由端側）の側壁１０９の中央部に、該側壁１０９と略平行（ヒンジ部１０３，１０５に対して略平行）に設けられている。
【０００６】
また、上記閉止部材係合部１０８は蓋部１０６の開閉端側の側壁１１０の中央部に、該側壁１１０と略平行に設けられている。
【０００７】
そして、上記ケース本体部１０２に蓋部１０６を重ね合わせた状態にすると、上記閉止部材１０７が閉止部材係合部１０８に係合して、収納ケース１０１は所謂蓋をした状態に維持されるようになっている。
【０００８】
なお、上記側壁１０９および１１０は開閉端側のみならず、該開閉端側に連続する左右端側に連続して平面コ状に形成されていると共に、これら側壁１０９，１１０の先端面１０９ａ，１１０ａはフラットな面に形成されている。
【０００９】
【発明が解決しようとする課題】
ところで上記従来の収納ケース１にあっては、上述したようにケース本体部２と蓋部３の側壁１０９，１１０の先端面１０９ａ，１１０ａはフラットな面に形成されていたために、次に述べるような問題点があった。
【００１０】
（１）ケース本体部２の側壁１０９と蓋部３の側壁１１０を重ね合わせて、所謂蓋をした状態にした場合に、上記側壁１０９，１１０の先端面１０９ａ，１１０ａがフラットな面に形成されているために、ケース本体部２の側壁１０９と蓋部３の側壁１１０とが位置ズレを起しやすく、しっかりと蓋がされていないような状態になることがある。
【００１１】
（２）ケース本体部２に対して蓋部３が位置ズレを起した場合に、閉止部材１０７と閉止部材係合部１０８がうまく係合せず、ロックが円滑にできず、或はロックが外れてしまうような場合が起る。
【００１２】
この発明は上記従来の問題点を解決し、ケース本体部と蓋部の側壁を完全に重ね合わせた状態で蓋をすることができる収納ケースを提供することを目的として為されたものである。
【００１３】
ケース本体部と、該ケース本体部を開閉する蓋部と、上記ケース本体部と上記蓋部との間に介在されていて、上記ケース本体部に対して上記蓋部を開閉可能にヒンジ部で結合している背面部とを有していて、上記ケース本体部と上記蓋部を閉じた状態に維持する閉止部材と閉止部材係合部が開閉端側に設けられ、上記ケース本体部と上記蓋部の周縁部に設けた側壁の先端面が重なり合うようになっている収納ケースにおいて、
上記ケース本体部と上記蓋部の側壁の先端面には、上記ケース本体部と上記蓋部の側壁を重ね合わせたときに、互に係合して、上記ケース本体部と上記蓋部の側壁の位置決めを行う傾斜面状の位置決め用の係合部と被係合部を設けた。
【００１４】
【作用】
ケース本体部と蓋部の側壁を重ね合わせた状態にすると、これら側壁の先端面に設けた傾斜面状の係合部と被係合部が互に係合して、上記傾斜面状の係合部と被係合部によってケース本体部と蓋部の側壁の前後、左右方向へのズレが防止されると共に、上記傾斜面状の係合部と被係合部に連続するケース本体部と蓋部の側壁の先端面本来のフラットな部分において、上記ケース本体部と蓋部の側壁の上下方向（蓋部の開閉方向）の位置決めがなされる。
【００１５】
【実施例】
次に、この発明を図１〜図３を参照して説明する。
【００１６】
図１において、１は収納ケースである。
【００１７】
上記収納ケース１は、下蓋としてのケース本体部２と、該ケース本体部２を開閉する上蓋としての蓋部３と、上記ケース本体部２と蓋部３との間に介在されていて、ケース本体部２に対して蓋部３を開閉可能にヒンジ部４，５で結合している背面部６とを有していて、ケース本体部２と蓋部３を閉じた状態にすると、これらケース本体部２と蓋部３の周縁部に設けた側壁２ａ，３ａの先端面２ｂ，３ｂが重なり合うようになっている。
【００１８】
上記ケース本体部２と蓋部３の側壁２ａ，３ａの先端面２ｂ，３ｂにはケース本体部２と蓋部３の側壁２ａ，３ａを重ね合わせるときに、互に嵌合して、これらケース本体部２と蓋部３の側壁２ａ，３ａの位置決めを行う位置決め用の係合部と被係合部７と８が設けられている。
【００１９】
また、上記ケース本体部２と蓋部３には、第１〜第３の閉止部材（ロック部材）１１〜１３と、閉止部材係合部１４〜１６が設けられていて、ケース本体部２に蓋部３を重ね合わせた状態にすると、上記第１〜第３の閉止部材１１〜１３と閉止部材係合部１４〜１６が係合して、ケース本体部２と蓋部３は閉じられた状態に維持されるようになっている。
【００２０】
上記ケース本体部２は、被収納物としてのフロッピーディスクの大きさに見合う大きさの四角形状に形成された底面板２ｃの内面の開閉端側（自由端側）および開閉端側に連続する左右両側に、平面略コ状に上記側壁２ａを立設することにより形成されている。
【００２１】
そして、上記コ状の側壁２ａ内にフロッピーディスクＦＤを収納すると、該フロッピーディスクＦＤの一側面と他側面は、上記底面板２ｃ上に立設された対状のリブ２１，２２で挾着されて、底面板２ｃ上に保持されるようになっている。
【００２２】
また、上記側壁２ａの先端面２ｂの内側面側に上記位置決め用の係合部７が設けられている。
【００２３】
上記係合部７は、内側面側に向かって所定の傾斜角度で傾斜しながら伸びていて、該係合部７は、次に述べる蓋部３の側壁３ａの先端面３ｂに設けた被係合部８と係合するようになっている。
【００２４】
蓋部３は、上記ケース本体部２と同様に、被収納物としてのフロッピーディスクの大きさに見合う大きさの四角形状に形成された底面板３ｃの内面の開閉端側および該開閉端側に連続する左右両側に、平面略コ状に上記側壁３ａを立設することにより形成されている。
【００２５】
そして、上記コ状の側壁３ａ内にフロッピーディスクＦＤを収納すると、該フロッピーディスクＦＤの一側面と他側面は、上記底面板３ｃ上に立設された対状のリブ２３，２４で挾着されて、底面板３ｃ上に保持されるようになっている。
【００２６】
また、上記側壁３ａの先端面３ｂの外側面側に上記位置決め用の被係合部８が設けられている。
【００２７】
上記被係合部８は外側面側に向かって所定の傾斜角度で傾斜しながら伸びている。
【００２８】
そして、ケース本体部２と蓋部３の側壁２ａ，３ａを重ね合わせた状態にすると、図３に示したように、上記係合部７と被係合部８が互に係合して、上記側壁２ａ，３ａの位置決めをして、これら側壁２ａ，３ａの外側面を面一状に揃えるようになっている。
【００２９】
また、背面部６は薄肉のヒンジ部４，５を介して上記ケース本体部２と蓋部３の間に介在されている。
【００３０】
上記背面部６の内面には、図１に示したように、フロッピーディスクＦＤを挾着、支持する一対のフロッピーディスク挾着用の突条２５，２６が設けられている。
【００３１】
そして、上記ケース本体部２と蓋部３および背面部６に、それぞれフロッピーディスクＦＤを収納して、ケース本体部２と蓋部３を閉じると、これらケース本体部２の側壁２ａと蓋部３の側壁３ａが重なり合って、ケース本体部２と蓋部３は密閉された状態になると共に、上記第１〜第３の閉止部材１１〜１３が閉止部材係合部１４〜１６が係合して、ケース本体部２と蓋部３は閉じられた状態に維持されるようになっている。
【００３２】
上記第１の閉止部材１１は、ケース本体部２の開閉端側の側壁２ａの内面の中央部に所定の幅の舌片１１ａを突設すると共に、該舌片１１ａの先端に係合突起１１ｂを設けることにより形成されている。
【００３３】
また、上記第１の閉止部材係合部１４は、蓋部３の開閉端側の側壁３ａの中央部に上記舌片１１ａよりもやや広目の幅の切欠部１４ａを設けると共に、該切欠部１４ａの内面の被係合突起１４ｂを設けることにより形成されている。
【００３４】
そして、上記ケース本体部２と蓋部３を重ね合わせた状態にすると、上記舌片１１ａが切欠部１４ａに嵌まり込んで、係合突起１１ｂと被係合突起１４ｂが互に係合して、ケース本体部２と蓋部３の中央部をロックした状態に維持するようになっている。
【００３５】
また、第２、第３の閉止部材１２，１３は、ケース本体部２の開閉端側の側壁２ａの左右のコーナー部の内面に、それぞれ舌片１２ａ，１３ａを突設し、これら舌片１２ａ，１３ａの側面の先端に係合突起１２ｂ，１３ｂを設けることにより形成されている。
【００３６】
上記舌片１２ａ，１３ａの一端部には、上記開閉端側の側壁２ａに沿わせた状態で上記ヒンジ部４，５に対して略平行な補強用のリブ１２ｃ，１３ｃが設けられている。
【００３７】
また、第２、第３の閉止部材係合部１５，１６は蓋部３の開閉端側の側壁３ａ側の端部に被係合突起を設けることにより形成されている。
【００３８】
上記ケース本体部２と蓋部３を重ね合わせた状態にすると、上記係合突起１２ｂ，１３ｂと被係合突起としての閉止部材係合部１５，１６が、それぞれ係合して、ケース本体部２と蓋部３の左右の両側部をロックする。
【００３９】
そして、上記補強用のリブ１２ｃ，１３ｃで舌片１２ａ，１３ａのヒンジ部４，５方向への倒れを防止し、第２、第３の閉止部材１２，１３と閉止部材係合部１５，１６の係合状態を維持するようになっている。
【００４０】
実施例の収納ケースは以上説明したような構成であるから、ケース本体部２と蓋部３および背面部６に、それぞれフロッピーディスクＦＤを収納して、ケース本体部２に蓋部３を重ね合わせた状態にすると、上記側壁２ａ，３ａの先端面に設けた係合部７と被係合部８が係合する。
【００４１】
そして、上記係合部７と被係合部８により、ケース本体部２と蓋部３は位置決めされながら、第１〜第３の閉止部材１１〜１３と閉止部材係合部１４〜１６が係合して、ケース本体部２と蓋部３は閉じられた状態にロックされることになるのである。
【００４２】
【発明の効果】
この発明の収納ケースには次に述べるような効果がある。
【００４３】
（１）ケース本体部と蓋部の側壁の先端面に設けた傾斜面状の係合部と被係合部が互に係合して、これら傾斜面状の係合部と被係合部によってケース本体部と蓋部の側壁の前後、左右方向へのズレが防止されると共に、ケース本体部と蓋部の側壁の先端面の上記傾斜面状の係合部と被係合部以外のフラットな部分において、上記ケース本体部と蓋部の側壁の上下方向（蓋部の開閉方向）の位置決めがなされ、上記ケース本体部と蓋部の側壁の位置は自づと一致し、ケース本体部と蓋部とを完全に閉じた状態にすることができる。
【００４４】
（２）ケース本体部と蓋部の位置を合わせながら蓋をすることができるので、閉止部材と閉止部材係合部の位置ズレを防止し、これら閉止部材と閉止部材係合部により確実にケース本体部と蓋部をロックすることができる。
【図面の簡単な説明】
【図１】斜視図。
【図２】展開図。
【図３】要部の断面図。
【図４】従来例の斜視図。
【符号の説明】
１…収納ケース
２…ケース本体部
３…蓋部
４，５…ヒンジ部
６…背面部
７…位置決め用の係合部
８…位置決め用の被係合部
【図１】
0003678757.tif 000002
【図２】
0003678757.tif 000003
【図３】
0003678757.tif 000004
【図４】
0003678757.tif 000005